(57)【要約】【課題】葬儀においては葬儀の荘厳さを重視するとともに、葬儀後には遺影写真の取扱いを容易にした遺影写真用台紙の使用方法を提供する。【解決手段】左右に二つ折り可能な表紙１１と、表紙１１の右半面に取付けられた矩形状の枠体１２を備え、枠体１２の上縁部１２ａと表紙１１の半面との間には上方に開口し、遺影写真１が貼着されたマット２を挿入可能な開口部１３が形成された遺影写真用台紙１０の使用方法であって、葬儀後に、葬儀で使用された遺影写真用額縁１００から取り出された遺影写真１付きのマット２を開口部１３から挿入することで、遺影写真１を遺影写真用額縁１００から遺影写真用台紙１０に入れ替え、挿入された遺影写真１が内側になるように遺影写真用台紙１０の表紙１１を内側に二つ折りにして保管し、法事の際には、挿入されたマット２が外側になるように遺影写真用台紙１０の表紙１１を外側に二つ折りにして展示する。【選択図】図３
2014079935.tif 000002
【特許請求の範囲】
【請求項１】
左右に二つ折り可能な表紙と、
前記表紙の左右いずれかの半面に取付けられた矩形状の枠体を備え、
前記枠体の上縁部と前記表紙の半面との間には上方に開口し、遺影写真が貼着されたマットを挿入可能な開口部が形成された遺影写真用台紙の使用方法であって、
葬儀後に、葬儀で使用された遺影写真用額縁から取り出された前記遺影写真付きのマットを前記開口部から挿入することで、前記遺影写真を前記遺影写真用額縁から前記遺影写真用台紙に入れ替え、
挿入された前記遺影写真が内側になるように前記遺影写真用台紙の表紙を内側に二つ折りにして保管し、
法事の際には、挿入された前記マットが外側になるように前記遺影写真用台紙の表紙を外側に二つ折りにして展示することを特徴とする遺影写真用台紙の使用方法。
【請求項２】
前記枠体の左縁部及び右縁部の上端に、左右方向外側から内側に向けて下方に傾斜する傾斜部が形成され、
前記遺影写真付きのマットを前記開口部から挿入するときに、前記マットの定位置からの左右方向外側のずれを前記傾斜部によって修正して前記マットを定位置に戻すことを特徴とする請求項１に記載の遺影写真用台紙の使用方法。
【請求項３】
遺影写真を収納する遺影写真用台紙であって、
左右に二つ折り可能な表紙と、
前記表紙の左右いずれかの半面に取付けられた矩形状の枠体を備え、
前記枠体の上縁部と前記表紙の半面との間には上方に開口し、前記遺影写真が貼着されたマットを挿入可能な開口部が形成されるとともに、
前記枠体の左縁部及び右縁部の上端に、左右方向外側から内側に向けて下方に傾斜し前記マットの定位置からの左右方向外側のずれを修正して前記マットを定位置に戻す傾斜部が形成されたことを特徴とする遺影写真用台紙。
【発明の詳細な説明】
【技術分野】
【０００１】
本発明は、遺影写真を収納する遺影写真用台紙の使用方法及び遺影写真用台紙に関するものである。
【背景技術】
【０００２】
葬儀で使用する遺影写真用額縁には、四切や大四切といったサイズの遺影写真を収納できるものが一般に用いられているが、一部の地方を除く都市部では住宅事情が悪いので、葬儀後にその遺影写真用額縁を自宅で設置したり保管したりするには遺影写真用額縁が大き過ぎる。
【０００３】
また、都市部を中心に核家族の割合が増加しているので、自宅に仏壇がない場合も多くなっており、葬儀で使用した遺影写真用額縁を自宅に飾っておくことに対して抵抗感を持つ人も増加しつつある。
さらに、遺影写真用額縁を従来のように欄間等の頭上に飾っておくと、地震等による落下の危険性があり、安全面への懸念も潜在する。
【０００４】
そこで、遺影写真を収納するものとして、アルバム式の遺影写真用台紙が開示されている（例えば、特許文献１参照）。
【先行技術文献】
【特許文献】
【０００５】
【特許文献１】実用新案登録第３１２０５４９号公報
【０００６】
この遺影写真用台紙は、左右に二つ折り可能な表紙と、矩形状の枠体を備え、枠体の上縁部と表紙との間に形成された開口部から遺影写真を挿入するものである。
この考案によると、遺影写真が外側になるように表紙を二つ折りにすることで、葬儀のときにはこのまま祭壇に飾ることができる。
そして、葬儀後には遺影写真が外側になるように表紙を二つ折りにして自宅でも飾ったり、もしくは遺影写真が内側になるように表紙を二つ折りにして書棚等に保管したりできる。
【発明の概要】
【発明が解決しようとする課題】
【０００７】
しかしながら、このような遺影写真用台紙はその構造や用いられる素材のために、従来の遺影写真用額縁に比べて簡易的であるという印象を与えてしまう。
【０００８】
ここで、葬儀は故人の人生を締めくくる日本の伝統的な儀式(セレモニー)としての存在意義を有するので、葬儀後における遺影写真の取扱いの容易さよりも葬儀の荘厳さや品位のほうが重視されるが、遺影写真は葬儀の際に最も目立つ祭壇の中央に飾られることもあり、仮にこのような簡易的な遺影写真用台紙が葬儀で使用されると葬儀の品位・格調が下がってしまう。
したがって、葬儀においては従来の仕様及びサイズの遺影写真用額縁を使用することが望まれる。
【０００９】
そこで、本発明の目的とするところは、葬儀においては葬儀の荘厳さを重視するとともに、葬儀後には遺影写真の取扱いを容易にした遺影写真用台紙の使用方法及び遺影写真用台紙を提供することにある。
【課題を解決するための手段】
【００１０】
上記の目的を達成するために、本発明の請求項１に記載の遺影写真用台紙（１０）の使用方法は、左右に二つ折り可能な表紙（１１）と、前記表紙（１１）の左右いずれかの半面に取付けられた矩形状の枠体（１２）を備え、前記枠体（１２）の上縁部（１２ａ）と前記表紙（１１）の半面との間には上方に開口し、遺影写真（１）が貼着されたマット（２）を挿入可能な開口部（１３）が形成された遺影写真用台紙（１０）の使用方法であって、葬儀後に、葬儀で使用された遺影写真用額縁（１００）から取り出された前記遺影写真（１）付きのマット（２）を前記開口部（１３）から挿入することで、前記遺影写真（１）を前記遺影写真用額縁（１００）から前記遺影写真用台紙（１０）に入れ替え、挿入された前記遺影写真（１）が内側になるように前記遺影写真用台紙（１０）の表紙（１１）を内側に二つ折りにして保管し、法事の際には、挿入された前記マット（２）が外側になるように前記遺影写真用台紙（１０）の表紙（１１）を外側に二つ折りにして展示することを特徴とする。
【００１１】
また、請求項２に記載の遺影写真用台紙（１０）の使用方法は、前記枠体（１２）の左縁部（１２ｃ）及び右縁部（１２ｄ）の上端に、左右方向外側から内側に向けて下方に傾斜する傾斜部（１４）が形成され、前記遺影写真（１）付きのマット（２）を前記開口部（１３）から挿入するときに、前記マット（２）の定位置からの左右方向外側のずれを前記傾斜部（１４）によって修正して前記マット（２）を定位置に戻すことを特徴とする。
【００１２】
また、請求項３に記載の遺影写真用台紙（１０）は、遺影写真（１）を収納する遺影写真用台紙（１０）であって、左右に二つ折り可能な表紙（１１）と、前記表紙（１１）の左右いずれかの半面に取付けられた矩形状の枠体（１２）を備え、前記枠体（１２）の上縁部（１２ａ）と前記表紙（１１）の半面との間には上方に開口し、前記遺影写真（１）が貼着されたマット（２）を挿入可能な開口部（１３）が形成されるとともに、前記枠体（１２）の左縁部（１２ｃ）及び右縁部（１２ｄ）の上端に、左右方向外側から内側に向けて下方に傾斜し前記マット（２）の定位置からの左右方向外側のずれを修正して前記マット（２）を定位置に戻す傾斜部（１４）が形成されたことを特徴とする。
【００１３】
ここで、上記括弧内の記号は、図面および後述する発明を実施するための形態に掲載された対応要素または対応事項を示す。
【発明の効果】
【００１４】
本発明の請求項１に記載の遺影写真用台紙の使用方法によれば、葬儀後に、遺影写真を遺影写真用額縁から遺影写真用台紙に入れ替えるので、葬儀では遺影写真用額縁によって荘厳さを保つことができるとともに、葬儀の後には遺影写真の取扱いが容易になる。
この取扱いが容易とはすなわち、挿入された遺影写真が内側になるように遺影写真用台紙の表紙を内側に二つ折りにして保管することができるので、狭い住宅であっても遺影写真が場所を取らず、また高所からの落下の危険もない。
このように遺影写真を内側にして保管することで、外的環境から遺影写真を守ることができるので、遺影写真の長期保存にも優れる。
【００１５】
また、法事の際には、再び遺影写真付きのマットを入れ替えることなく、挿入されたマットが外側になるように遺影写真用台紙の表紙を外側に二つ折りにするだけで、展示することができる。
なお、法事では葬儀ほどの荘厳さは求められないので、遺影写真用額縁に比べて簡易的な遺影写真用台紙を使用しても法事の雰囲気を壊してしまうことはない。
【００１６】
また、請求項２に記載の遺影写真用台紙の使用方法によれば、請求項１に記載の発明の作用効果に加え、枠体の左縁部及び右縁部の上端に、左右方向外側から内側に向けて下方に傾斜する傾斜部が形成され、遺影写真付きのマットを開口部から挿入するときに、マットの定位置からの左右方向外側のずれを傾斜部によって修正してマットを定位置に戻すので、例えば葬儀終了時の限られた時間の中で遺影写真用台紙への入れ替えなければならない場合であっても、円滑に行うことができる。
【００１７】
また、請求項３に記載の遺影写真用台紙によれば、枠体の左縁部及び右縁部の上端に、左右方向外側から内側に向けて下方に傾斜しマットの定位置からの左右方向外側のずれを修正してマットを定位置に戻す傾斜部が形成されたので、遺影写真が貼着されたマットを遺影写真用台紙へ円滑に挿入することができる。
【００１８】
なお、本発明の遺影写真用台紙の使用方法及び遺影写真用台紙のように、葬儀では使用せずに、葬儀後に遺影写真が貼着されたマットを挿入する点は、上述した特許文献１には全く記載されていない。
【図面の簡単な説明】
【００１９】
【図１】本発明の実施形態に係る遺影写真用台紙を示す正面図である。
【図２】図１に示す遺影写真用台紙を示す拡大平面図である。
【図３】図１に示す遺影写真用台紙の使用方法を示す正面図である。
【発明を実施するための形態】
【００２０】
図１及び図２を参照して、本発明の実施形態に係る遺影写真用台紙１０を説明する。
この遺影写真用台紙１０は、内部に遺影写真１を収納するものであって、表紙１１と、枠体１２を備える。
遺影写真１は、遺影写真１の外形（四切又は大四切）よりも一回り大きいマット２の一面に貼着されている。これは遺影写真１単独では簡単に折れ曲がってしまうので、マット２によって補強して取扱い易くするためである。
【００２１】
表紙１１は、中央の折曲部１１ａにおいて左右に二つ折り可能であって、内側に折り曲げることも外側に折り曲げることもできる。つまり、表紙１１の左半面を表紙１１の右半面に対して０度から約３６０度まで折り曲げ可能である。
表紙１１の半面の大きさはマット２の大きさより一回り大きい。
この台紙は遺影写真１を収納するものであるので、表紙１１には品位のある高級素材が用いられる。
【００２２】
枠体１２は、上縁部１２ａ、下縁部１２ｂ、左縁部１２ｃ、及び右縁部１２ｄからなる矩形状であり、外形が表紙１１の半面よりも一回り小さい。
下縁部１２ｂ、左縁部１２ｃ、及び右縁部１２ｄが表紙１１の右半面（左半面でもよい）に貼着されることで、枠体１２が表紙１１に対して取付けられている。
一方、上縁部１２ａは表紙１１に対して貼着されておらず、枠体１２の上縁部１２ａと表紙１１の右半面との間には上方に開口する開口部１３が形成されている。
なお、図２に示すように、下縁部１２ｂ、左縁部１２ｃ、及び右縁部１２ｄは、遺影写真用台紙１０の厚さ方向に二層に分割されており、手前側（図２における下側）の下縁部１２ｂ、左縁部１２ｃ、及び右縁部１２ｄは上縁部１２ａと一体になっている。
【００２３】
また、左縁部１２ｃの右端と右縁部１２ｄの左端との間隔はマット２の幅よりも広くなっている。つまり、遺影写真用台紙１０の開口部１３の幅はマット２の幅よりも広く、遺影写真１が貼着されたマット２を開口部１３から遺影写真用台紙１０の内部に挿入可能である。もちろん、開口部１３の厚さ方向の長さは、遺影写真１が貼着されたマット２の厚さよりも長い。
そして、枠体１２の左縁部１２ｃ及び右縁部１２ｄの上端には、左右方向外側から内側に向けて下方に傾斜する傾斜部１４が形成されている。左縁部１２ｃの傾斜部１４と右縁部１２ｄの傾斜部１４との間には上縁部１２ａは存在しないので、図２に示すように上方から見たときに、傾斜部１４が目視できる。
また、枠体１２の内寸は遺影写真１の大きさと略等しく、遺影写真用台紙１０に遺影写真１付きマット２を収納し遺影写真用台紙１０を開いたときには、遺影写真１全体を視認可能である。
【００２４】
次に、このように構成された遺影写真用台紙１０の使用方法について、図３を参照して説明する。
葬儀においては、遺影写真１が貼着されたマット２は遺影写真用額縁１００に収納され、祭壇に飾られている。
【００２５】
そして、葬儀後に、遺影写真１が貼着されたマット２が、葬儀で使用された遺影写真用額縁１００から取り出され、遺影写真用台紙１０の開口部１３から遺影写真用台紙１０の内部に挿入される。
このとき、マット２の定位置からの左右方向外側のずれを傾斜部１４によって修正してマット２を定位置に戻す。つまり、遺影写真用台紙１０の開口部１３に対してマット２が左側にずれていたときには、マット２の左下端が遺影写真用台紙１０の左縁部１２ｃの傾斜部１４に当たってマット２が右方向に移動し、開口部１３に対してマット２が右側にずれていたときには遺影写真用台紙１０の右下端が遺影写真用台紙１０の右縁部１２ｄの傾斜部１４に当たってマット２を左方向に移動する。
このようにして、遺影写真１付きのマット２を遺影写真用額縁１００から遺影写真用台紙１０に円滑に入れ替える。
【００２６】
そして、挿入された遺影写真１が内側になるように遺影写真用台紙１０の表紙１１を内側に二つ折りにして書棚等に保管する。
また、法事の際には、挿入されたマット２が外側になるように遺影写真用台紙１０の表紙１１を外側に（反対側に）二つ折りにして、遺影写真用台紙１０ごと遺影写真１を展示する。
なお、法事では葬儀ほどの荘厳さは求められないので、遺影写真用額縁１００に比べて簡易的な遺影写真用台紙１０を使用しても法事の雰囲気を壊してしまうことはない。
【００２７】
以上のように構成及び使用される遺影写真用台紙１０によれば、葬儀後に、遺影写真１を遺影写真用額縁１００から遺影写真用台紙１０に入れ替えるので、葬儀では遺影写真用額縁１００によって荘厳さを保つことができるとともに、葬儀の後には遺影写真１の取扱いが容易になる。
この取扱いが容易とはすなわち、挿入された遺影写真１が内側になるように遺影写真用台紙１０の表紙１１を内側に二つ折りにして保管することができるので、狭い住宅であっても遺影写真１が場所を取らず、また高所からの落下の危険もない。
このように遺影写真１を内側にして保管することで、外的環境から遺影写真１を守ることができるので、遺影写真の長期保存にも優れる。
【００２８】
また、法事の際には、再び遺影写真１付きのマット２を入れ替えることなく、挿入されたマット２が外側になるように遺影写真用台紙１０の表紙１１を外側に二つ折りにするだけで、展示することができる。
【００２９】
また、枠体１２の左縁部１２ｃ及び右縁部１２ｄの上端に、左右方向外側から内側に向けて下方に傾斜する傾斜部１４が形成され、遺影写真１付きのマット２を開口部１３から挿入するときに、マット２の定位置からの左右方向外側のずれを傾斜部１４によって修正してマット２を定位置に戻すので、例えば葬儀終了時の限られた時間の中で遺影写真用台紙１０への入れ替えなければならない場合であっても、円滑に行うことができる。
【００３０】
なお、本実施形態において、枠体１２の左縁部１２ｃ及び右縁部１２ｄの上端に、左右方向外側から内側に向けて下方に傾斜する傾斜部１４を形成したが、これに限られるものではなく、枠体１２の左縁部１２ｃ及び右縁部１２ｄの上端に傾斜部１４が設けられなくてもよい。この場合であっても、遺影写真１を遺影写真用台紙１０に入れ替えてしまえば、自宅での保管に関して遺影写真用台紙１０は場所を取らないし、法事の際にもそのまま使用することができるので、便利である。
【符号の説明】
【００３１】
１      遺影写真
２      マット
１０      遺影写真用台紙
１１      表紙
１１ａ    折曲部
１２      枠体
１２ａ    上縁部
１２ｂ    下縁部
１２ｃ    左縁部
１２ｄ    右縁部
１３      開口部
１４      傾斜部
１００      遺影写真用額縁
【図１】
2014079935.tif 000003
【図２】
2014079935.tif 000004
【図３】
2014079935.tif 000005